【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
第２の材料層の上に位置する第１の材料層を有するソール部材を備え、前記第１および第２の材料層はそれぞれ対向する第１および第２の表面を含み、前記第１の材料層の第２の表面は、連続的に、前記第２の材料層の第１の表面に、該第１の表面の長さの少なくとも一部分に沿って取り付けられ、
複数のラグが前記ソール部材の長手方向軸に沿って延び、該ラグの各々は山を有し、別々の軸が各山の位置で前記第１および第２の材料層を通って長手方向軸線に対して横方向に延び、前記第１及び第２の材料層は、少なくとも軸に、前記第１の材料層が前記第２の材料層よりも硬質である中実ボディを形成し、前記複数のラグの各々は、互いに隣接するラグを隔離するように中央−側方方向に延在する凹部によって分離され、
アウトソールは、前記第２の材料層の第２の表面の少なくとも一部分に沿って係合し、前記複数のラグのうちの少なくとも第１のラグの振幅は、前記複数のラグのうちの少なくとも第２のラグの振幅と異なり、各ラグの振幅は、各ラグの山のところにおいて、前記第１の材料層の第２の表面と前記第２の材料層の第２の表面との間で最大距離となっており、
前記第１および第２のラグは、前記ソール部材を横切る中央−側方方向に形状が非線形であり、前記第１のラグは谷を含み、前記第２のラグは山含み、前記第１のラグの頂部は、前記第２のラグの谷と並べられ、それにより、前記複数のラグは、前記第１のラグを前記第２ラグに隣接させて入れ子構造に配置されたことを特徴とするシューソール。
【請求項２】
前記第１のラグの振幅は、前記第２のラグの振幅よりも大きく、前記第１のラグは、前記ソール部材のヒールセクションに配置され、前記第２ラグは前記ソール部の真ん中またはつま先部に配置されたことを特徴とする請求項１に記載のシューソール。
【請求項３】
前記複数のラグの各々は、独立して、隣接するラグの圧縮性および変形性を有することを特徴とする請求項１に記載のシューソール。
【請求項４】
前記第１および第２のラグは、前記ソール部材の側面から内側に、連続的に延びていることを特徴とする請求項１に記載のシューソール。
【請求項５】
前記第１および第２のラグの振幅は、前記ソール部材の中央側と側方側との間で一定であることを特徴とする請求項４に記載のシューソール。
【請求項６】
前記第１および第２の材料層の各々は、完全な中実であることを特徴とする請求項１に記載のシューソール。
【請求項７】
前記第１の材料層の第２の表面は、連続的に、前記第２の材料層の第１の表面に、該第１の表面の全長に沿って取り付けられていることを特徴とする請求項１に記載のシューソール。
【請求項８】
中央−側方方向における前記第１ラグの形状は、中央−側方方向における前記第２ラグの形状に一致し、これにより、前記第１および第２のラグが前記入れ子構造に配置されることを特徴とする請求項１に記載のシューソール。
【請求項９】
前記第１のラグの前記頂部は前記第２のラグの谷内に延びることを特徴とする請求項１に記載のシューソール。
【請求項１０】
ソール部材は第２の材料層の上に位置する第１の材料層を有し、前記第１および第２の材料層はそれぞれ対向する第１および第２の表面を含み、前記第１の材料層の第２の表面は、連続的に、前記第２の材料層の第１の表面に、該第１の表面の長さの少なくとも一部分に沿って取り付けられ、
複数のラグが前記ソール部材の長手方向軸に沿って延び、該ラグの各々は山を有し、別々の軸が各山の位置で前記第１および第２の材料層を通って長手方向軸線に対して横方向に延び、前記第１及び第２の材料層は、少なくとも軸に、前記第１の材料層が前記第２の材料層よりも硬質である中実ボディを形成し、前記複数のラグの各々は、互いに隣接するラグを隔離するように中央−側方方向に延在する凹部によって分離され、
アウトソールは、前記第２の材料層の第２の表面の少なくとも一部分に沿って係合し、前記複数のラグの各々は、隣接するラグと独立して、圧縮性および変形性を有することを特徴とするシューソール。
【請求項１１】
前記複数のラグのうちの少なくとも第１のラグの振幅は、前記複数のラグのうちの少なくとも第２のラグの振幅よりも大きく、前記第１のラグは、前記ソール部材のヒールセクションに位置され、前記第２ラグは前記ソール部の真ん中またはつま先セクションに配置され、各ラグの振幅は、各ラグの山のところにおいて、前記第１の材料層の第２の表面と前記第２の材料層の第２の表面との間で最大距離となっていることを特徴とする請求項１０に記載のシューソール。
【請求項１２】
前記複数の第１および第２のラグは、前記ソール部材の側面から内側に、連続的に延びていることを特徴とする請求項１０に記載のシューソール。
【請求項１３】
前記第１および第２のラグは、前記ソール部材の中央側と側方側間に、実質的に一定である振幅を有し、前記第１および第２のラグの振幅は、各ラグの山のところにおいて、前記第１の材料層の第２の表面と前記第２の材料層の第２の表面との間で最大距離となっていることを特徴とする請求項１２に記載のシューソール。
【請求項１４】
前記第１および第２の材料層の各々は、完全な中実であることを特徴とする請求項１０に記載のシューソール。
【請求項１５】
上記複数の第１のラグは、前記ソール部材を横切って中央側−側方側方向に形状が非線形であり、前記第１のラグは頂部を含み、前記複数の第２のラグは、中央−側方方向に形状が非線形であり、前記第２のラグは谷を含み、前記第１のラグの頂部は、前記第２のラグの谷と整列され、前記第１のラグは前記第２のラグに隣接していることを特徴とする請求項１０に記載のシューソール。
【請求項１６】
前記第１のラグの頂部は、前記第２のラグの谷の中に延び、それによって、前記ソール部材の長手方向軸に沿って、前記第１及び第２のラグを入れ子構造に配置することを特徴とする請求項１５に記載のシューソール。
【請求項１７】
前記第１の材料層は、少なくとも軸のところでアスカーＣで約６０〜６３の間の硬さを有し、前記第２の材料層は、少なくとも軸のところでアスカーＣで約４８〜５０の間の硬さを有することを特徴とする請求項１０に記載のシューソール。
【請求項１８】
アッパーとソール部材を備え、
該ソール部材は、第２の材料層の上に位置する第１の材料層を有し、前記第１および第２の材料層はそれぞれ対向する第１および第２の表面を含み、前記第１の材料層の第２の表面は、連続的に、前記第２の材料層の第１の表面に、該第１の表面の長さの少なくとも一部分に沿って取り付けられ、
複数のラグが前記ソール部材の長手方向軸に沿って延び、該ラグの各々は山を有し、別々の軸が各山の位置で前記第１および第２の材料層を通って長手方向軸線に対して横方向に延び、前記第１及び第２の材料層は、少なくとも軸に、前記第１の材料層が前記第２の材料層よりも硬質である中実ボディを形成し、
前記複数のラグの第１および第２のラグは、中央−側方方向にソール部材を横切って連続的に延びており、凹部は、中央−側方方向に前記ソール部材の全体を横切って第１および第２のラグを分離し、これにより、前記第１のラグは、前記第２のラグに隣接する前記第１のラグから独立し、
アウトソールは、前記第２の材料層の第２の表面の少なくとも一部分に沿って係合することを特徴とするシュー。
【請求項１９】
前記複数のラグの各々は、隣接するラグと独立して、圧縮性および変形性を有することを特徴とする請求項１に記載のシュー。
【請求項２０】
前記第１及び第２のラグは、前記第１及び第２のラグが前記ソール部材の長手方向軸に沿って前記入れ子構造に配置されるように、前記ソール部材を横切ってその中央−側方方向において同一の形状を有することを特徴とする請求項１５に記載のシュー。
【請求項２１】
上記第１のラグは、その中央−側方方向に形状が非線形であり、前記第１のラグは頂部を含み、前記第２のラグは、その中央−側方方向に形状が非線形であり、前記第２のラグは谷を含み、前記第１のラグの頂部は、前記第２のラグの谷と整列されていることを特徴とする請求項１８に記載のシュー。
【請求項２２】
前記第１のラグの頂部は、前記第２のラグの谷の中に延びることを特徴とする請求項２１に記載のシュー。
【請求項２３】
前記第１及び第２のラグの各々の振幅は、前記複数のラグの第３のラグの振幅よりも大きく、前記第１および第２のラグは、前記ソール部材のヒールセクションに配置され、前記第３ラグは前記ソール部材の真ん中またはつま先セクションに配置され、各ラグの振幅は、各ラグの山のところにおいて、前記第１の材料層の第２の表面と前記第２の材料層の第２の表面との間で最大距離となっていることを特徴とする請求項１８に記載のシュー。
【請求項２４】
前記第１および第２のラグのそれぞれは、前記ソール部材の中央−側方方向に、一定である振幅を有し、前記第１および第２のラグの前記振幅は、各ラグの山のところにおいて、前記第１の材料層の第２の表面と前記第２の材料層の第２の表面との間で最大距離となっていることを特徴とする請求項２２に記載のシュー。